(57)【特許請求の範囲】
【請求項１】
運転席（１ａ）の後方を仕切るリヤパネル（３）の内外を連通しつつ水の侵入を阻止するルーバー（５ａ）が形成されたルーバー窓（５）と、
該ルーバー窓（５）に臨んで配設されたフィルタ部材（１４）と、
該フィルタ部材（１４）を保持する保持枠（１５）とを備えた農薬散布車のキャビンであって、
前記ルーバー窓（５）は、前記フィルタ部材（１４）との間を仕切る仕切り板（１６）と、該仕切り板（１６）の下端部から前記ルーバー（５ａ）に傾斜することにより前記仕切り板（１６）に受けた水を該ルーバー（５ａ）から排出する掃き出し部（１７）とを備え、かつ、前記仕切り板（１６）の上端開口（１６ａ）に臨んで前記フィルタ部材（１４）が配置されたことを特徴とする農薬散布車のキャビン。
【請求項２】
前記ルーバー窓（５）は、前記保持枠（１５）と一体の箱体に構成されたことを特徴とする請求項１記載の農薬散布車のキャビン。
【発明の詳細な説明】
【０００１】
【発明の属する技術分野】
本発明は、農薬散布車のキャビンに係わり、特に、簡易な構成によって農薬臭が抑えられ、また、静粛な車室環境を維持することが可能な農薬散布車のキャビンに関する。
【０００２】
【従来の技術】
スピードスプレーヤ等の農薬散布車は、農薬散布機とキャビンとがコンパクトに備えられ、圃場や樹間を走行しつつ農薬を散布する車両である。
従来のスピードスプレーヤのキャビンは、散布した農薬ミストが侵入しないように、一般に、キャビン内に積極的に換気口を設置したものはなく、気密構造によって外部環境から画成された車室をなし、また、車室内には、作業環境を維持するべく、室温調節するための熱交換器等を内設した空調用室内ユニットが設けられていた。
【０００３】
【発明が解決しようとする課題】
しかしながら、散布作業が長時間に及ぶと、車室内が酸欠となるおそれがある。キャビンの床に換気口を設けたものもあるが、散布中は閉鎖する必要があるので、酸欠の問題を解決することができない。
【０００４】
また、キャビンが気密構造であっても、農薬ミストが作業者の衣服に付着して作業者とともにキャビン内に侵入する場合がある。このようなキャビン内に侵入した農薬ミストを消臭処理するべく、上記空調とは別に、車室内に空気清浄器を搭載した例がある。空気清浄器は空調とは別動力によってファンを駆動しているものと、ファンを持たないものがある。
しかし、狭いキャビン内においては、十分な消臭能力のある空気清浄器を配置できないことから、空調とは別に空気清浄器を設置した場合でも、コストを要するのみならず、ファン付のものではさらに別の動力を要する上に、長時間にわたって不快な農薬臭にさらされるという問題があった。
【０００５】
この場合、既存の空調用室内ユニットを利用することにより、大きなスペースを要することなく、かつ、低コストで空気清浄機能を付加する方法が考えられるが、現実的ではない。
【０００６】
すなわち、図９に平面図で示すように、空調用室内ユニット１０１は、蒸発器１０１ａやヒータ１０１ｂからなる熱交換器を本体部に備え、さらに送風機１０３と吹出し口１０２までが一体に構成される。この吹出し口１０２を室内側に向けて運転席に臨むダッシュボード等に組み込まれる。
上記送風機１０３は、熱媒体配管１０４、１０５とともに空調用室内ユニット１０１本体部の背面側に構成されていることから、送風機１０３の吸気口１０６、１０６に消臭用のフィルタ部材を取り付けることは困難であり、また、日常的なフィルタ交換作業にも適しない。
【０００７】
一方、警音器は、キャビンの外に音の放射方向を正面に向けてフレームに取り付けられ、又は、キャビン内に取り付けられている。そして、農薬散布走行しつつ警音器によって前方に向けて警告音を発報する。
【０００８】
しかし、上記警音器は、キャビン内に取り付けた場合は、作業者にはうるさ過ぎ、逆に外部に対しては、音が小さくなるので、本来の機能を損なうという不具合があった。
また、キャビンの外でフレーム等に、キャビン付近に音の放射方向を正面に向けて設置されている場合は、警音器が突起物となるので走行の障害となり、好ましくなかった。また、音の放射方向が正面を向いていることから、直接的に音が響き外部環境に対しても好ましくなかった。
【０００９】
本発明はこのような従来の課題に鑑みてなされたもので、簡易な構成によって換気と消臭が確保され、また、静粛な車室環境を維持することが可能な農薬散布車のキャビンを提供することを目的とする。
【００１０】
【課題を解決するための手段】
このため本発明（請求項１）の農薬散布車のキャビン（１）においては、運転席（１ａ）の後方を仕切るリヤパネル（３）の内外を連通しつつ水の侵入を阻止するルーバー（５ａ）が形成されたルーバー窓（５）と、該ルーバー窓（５）に臨んで配設されたフィルタ部材（１４）と、該フィルタ部材（１４）を保持する保持枠（１５）とを備えた農薬散布車のキャビンであって、前記ルーバー窓（５）は、前記フィルタ部材（１４）との間を仕切る仕切り板（１６）と、該仕切り板（１６）の下端部から前記ルーバー（５ａ）に傾斜することにより前記仕切り板（１６）に受けた水を該ルーバー（５ａ）から排出する掃き出し部（１７）とを備え、かつ、前記仕切り板（１６）の上端開口（１６ａ）に臨んで前記フィルタ部材（１４）が配置されたことを特徴とする。
【００１１】
上記農薬散布車のキャビン（１）は、車室のリヤパネル（３）のルーバー窓（５）に保持枠（１５）によってフィルタ部材（１４）が取り付けられる。このため、農薬ミストの侵入が阻止され、外気によって車室内の換気が可能となり、特に、作業者の頭部に近接するようにリヤパネル（３）上を選択配置しうる大きな自由度により目的部分が効率良く換気される。また、フィルタ部材（１４）により外部騒音が減衰されて快適性が向上される。
上記農薬散布車のキャビン（１）は、ルーバー窓（５）の内側に掃き出し部（１７）付の仕切り板（１６）を備える。このため、ルーバー窓（５）から水が侵入した場合でも仕切り板（１６）で阻止され、その下端の掃き出し部（１７）から車室外に排出される。従って、キャビン（１）内およびフィルタ部材（１４）は浸水を受けることなく、その機能が維持される。
【００１２】
また、本発明（請求項２）の農薬散布車のキャビン（１）においては、前記ルーバー窓（５）は、前記保持枠（１５）と一体の箱体に構成されたことを特徴とする。
上記農薬散布車のキャビン（１）は、ルーバー窓（５）を含むユニット構成が可能となる。
【００１５】
なお、農薬散布車のキャビン（１）においては、空調用の熱交換部（２２）と、該熱交換部（２２）に車室内の空気を送り込む送風機（２３）と、該送風機（２３）の吸気口（２７）に配設されたフィルタ部材（２８）とを備え、前記送風機（２３）の吸気口（２７）は室内側に臨み、かつ、運転席の側方に配置されたことを特徴とする。
【００１６】
上記熱交換部（２２）によって車室温度が調節されるとともに、室内側に向けて配置された送風機（２３）の吸気口（２７）に装着されたフィルタ部材（２８）により消臭と遮音がされる。この場合、上記送風機（２３）は室内側から直接的に吸気することから、特に、作業者の衣服に付着した農薬ミストが集中的に効率良く吸引消臭がなされる上に、室内側に臨む消臭用のフィルタ部材（２８）は送風機（２３）の吸気音の拡散を抑えるとともに、室内側からの作業によって随時容易に交換することができる。
【００１７】
したがって、農薬散布車のキャビン（１）は、室内循環専用の送風機を要することなく、コンパクトかつ簡易な構成により、車室内空気を効率的に清浄処理することができる。また、交換メンテナンスの容易性により、農薬散布下における清浄な車室環境の確保が容易となる。
【００１８】
更に、農薬散布車のキャビン（１）においては、前記フィルタ部材（２８）は、固定部材（２９）を介して前記送風機（２３）に対して着脱可能に固定されたことを特徴とする。
前記フィルタ部材（２８）は着脱可能なことから、清浄な車室環境の確保が容易となる。
【００１９】
更に、農薬散布車のキャビン（１）においては、前記送風機（２３）は、原動軸の両端に配置された２つの遠心ファンによる２つの吸気口（２７）を有し、夫々の吸気口（２７）に臨む２つのフィルタ部材（２８）は固定部材（２９）によって一体に構成されたことを特徴とする。
前記送風機は２つの吸気口（２７）を持ち、一体構成のフィルタ部材（２８）を備えたことから、フィルタ交換の容易性を確保しつつ、コンパクトに、かつ、清浄能力を向上することができる。
【００２０】
更に、農薬散布車のキャビン（１）においては、前記熱交換部（２２）は、その吐出側から車室壁内の案内路（２４）を介し、車室の天井（１ｂ）に開口された吹出し口（２５）に連通されることを特徴とする。
前記熱交換部（２２）が天井の吹出し口（２５）に連通されていることから、消臭された清浄空気が作業者の頭部を中心に能率良く供給される。そして、農薬ミストが作業者の衣服に付着している場合でも、農薬ミストは直接送風機（２３）に吸引されるので、作業者は農薬ミストにさらされることなく、効率良く消臭処理される。
【００２１】
【発明の実施の形態】
以下、本発明の実施形態について説明する。
図１は本発明のスピードスプレーヤのキャビンの換気装置をその背面から示す斜視図、図２は図１の換気装置の内部構成を示す縦断面図である。
【００２２】
図１において、農薬等の薬剤を走行散布するスピードスプレーヤのキャビン１は、農薬を走行散布する操作をするために外部環境から画成された車室をなし、運転席の後方でキャビン１の背面を仕切るリヤパネル３には、その略中央位置に本発明に係る換気装置４が気水密に配設される。
【００２３】
換気装置４のルーバー窓５には、リヤパネル３に雨水の侵入を阻止しつつ内外を連通するルーバー５ａ…が形成されている。このルーバー窓５に臨んでフィルタ部材１４と、このフィルタ部材１４を保持する箱状の保持枠１５とがルーバー窓５の内側に取り付けられる。
【００２４】
保持枠１５の中には、さらに、ルーバー窓５とフィルタ部材１４との間を隔てる仕切り板１６が設けられており、その上端に開口１６ａが形成されている。そして、下端には外側に傾斜してルーバー５ａに至る掃き出し部１７が形成されている。
【００２５】
フィルタ部材１４は活性炭入りのウレタンフォームのシート状をなし、消臭性と遮音性を有し、これを仕切り板１６の上端の開口１６ａに臨む位置に配置されている。フィルタ部材１４の車室側は、空気流通口が形成された開閉可能な蓋部材１５ａで閉じられ、フィルタ部材１４が着脱可能に保持されている。
【００２６】
上記構成の換気装置４の作用について以下に説明する。
換気装置４は、キャビン１のリヤパネル３のルーバー窓５に保持枠１５によってフィルタ部材１４を取り付けたことから、リヤパネル３上における配置の自由度を確保しつつ、消臭された外気による換気および外部騒音の減衰が可能となる。
【００２７】
したがって、リヤパネル３上で換気装置４を作業者の頭部に近接する位置に定めることにより、作業者の頭部近傍が主として換気される。したがって、農薬ミストが作業者の衣服に付着している場合でも、作業者は農薬ミストにさらされることのない効率の良い換気が可能となり安全である。また、換気口が作業者の頭部近傍位置であるにもかかわらず、外部騒音は減衰されるので、快適性が確保される。
【００２８】
この場合、換気装置４は、ルーバー窓５の内側に掃き出し部１７付の仕切り板１６を備えたことから、洗車等により不用意にルーバー窓５から水が侵入した場合でも仕切り板１６で阻止され、更にその下端の掃き出し部１７から車室外に排出される。したがって、キャビン１内およびフィルタ部材１４は浸水を受けない。
【００２９】
図３は本発明の空調用室内ユニットが備えられたスピードスプレーヤのキャビンを一部破断して示す斜視図である。なお、前記同様の部材はその符号を付すことによって説明を省略する。
【００３０】
空調用室内ユニット２１は、キャビン１内に設けられた運転席１ａの側方位置で運転席１ａの後方を仕切るリヤパネル３の略中段位置、すなわち、運転席１ａに着座した作業者の頭部より低い肩の高さ位置に配設される。
【００３１】
空調用室内ユニット２１は、温度調節のための熱交換器やヒータを内設した室内ユニットの本体をなす熱交換部２２から車室内に突出するように送風機２３を外付けに備える。この送風機２３は、車室内の空気を直接取り込むためである。
上記リヤパネル３に取り付けた空調用室内ユニット２１の吐出側は、リヤパネル３の内部に形成した案内路２４を介して天井１ｂに開口する吹出し口２５に連通されている。
【００３２】
図４は図３の空調用室内ユニットの要部を示す分解斜視図、図５は同じく空調用室内ユニットの要部を示す部分断面平面図である。
空調用室内ユニット２１は、熱交換部２２の側面に吐出部２２ａが開口され、熱交換部２２の車室側に取り付けられている。送風機２３は、２つの遠心ファンが水平配置の原動軸の両端に２連に構成されたものである。
【００３３】
送風機２３の２つの吸気口２７、２７にはそれぞれ消臭用のフィルタ部材２８、２８が固定部材２９によって取り付けられている。両フィルタ部材２８、２８は、活性炭入りのウレタンフォームのシート状をなし、上記送風機２３の吸気口２７の大きさに合わせて形成されている。そして、両フィルタ部材２８、２８は、固定部材２９に挿し込まれ、この固定部材２９により送風機２３に一体的に着脱可能に取り付けられている。
【００３４】
上記構成の空調用室内ユニット２１を備えるスピードスプレーヤのキャビンの作用について、以下に説明する。
図６は本発明の空調用室内ユニットを備えたキャビン内における空気循環を示す説明図である。
【００３５】
上記スピードスプレーヤのキャビン１には、空調用室内ユニット２１が送風機２３の吸気口２７、２７を室内側に向けるとともにフィルタ部材２８、２８が取り付けられて構成されることから、空調用室内ユニット２１の動作によって車室温度が調節されるとともに、車室内空気はフィルタ部材２８、２８により消臭される。
【００３６】
このとき、上記送風機２３は室内側に向いた吸気口２７、２７から直接的に吸気する。したがって、吸気口２７、２７の近傍に位置する作業者の衣服に付着した農薬ミストが集中的に効率良く吸引消臭がなされる上に、消臭空気が天井１ｂから作業者の頭部近傍に供給される。従って、農薬ミストが作業者の衣服に付着している場合でも、作業者は農薬ミストにさらされることなく、消臭環境下で作業を遂行することができる。
【００３７】
また、送風機２３の吸気口２７、２７はフィルタ部材２８、２８によって覆われていることから、送風機２３が車室内に露出されていても、吸気音の拡散が抑えられ、静粛性が確保される。
【００３８】
フィルタ部材２８、２８のメンテナンスに際しては、室内側からの作業によって随時容易に交換することができる。フィルタ部材２８、２８は、専用工具等を要することなく着脱が可能な保持手段によって取り付けることにより、フィルタ交換が容易となる。このため、清浄な車室環境を容易に確保することができる。
【００３９】
２つのフィルタ部材２８、２８は、送風機２３の原動軸の両端に備えた２つの遠心ファンの夫々の吸気口２７、２７に臨んで互いに連結されて一体に構成されることにより、フィルタ交換が容易で大容量の清浄機能付の空調ユニットをコンパクトに構成することができる。
【００４０】
したがって、本発明の空調用室内ユニット２１を備えたスピードスプレーヤのキャビン１は、室内循環専用の送風機を要することなく、低コストでコンパクトかつ簡易な構成により、車室内空気を効率的にかつ確実に清浄処理することができる。また、交換メンテナンスの容易性により、農薬散布下における清浄な車室環境が確保される。
【００４１】
次に、警音器の取り付け構造について説明する。
図７は本発明の警音器の取り付け構造を示す斜視図、図８は図７の警音器取り付け構造を適用したスピードスプレーヤの全体側面図である。
【００４２】
本発明のスピードスプレーヤのキャビン１は、その傾斜床３１の下面に凹部３２を備え、この凹部３２は警音器３３が収まる程度の深さに形成され、その中に警音器３３が埋め込むように取り付けられている。警音器３３は、放射主軸線Ａに沿って傾斜され、キャビン１の前方の地面に向けて凹部３２内に配置されている。
【００４３】
上記のように取り付けられた警音器３３は、放射主軸線Ａがキャビン１の前方の地面に向いていることから、その発報音は傾斜床３１の下面から放射主軸線Ａを中心にしてその前方の地面に向かい、地面から反射された後に、放射主軸線Ａの反射軸線Ｒを中心にしてキャビン１の前方に拡散される。
【００４４】
したがって、本発明の警音器３３の取り付け構造により、警音器３３は不必要な騒音とならないので、環境にやさしく警音を発することができ、かつ、キャビン１内の静粛性の確保を図ることができる。また、警音器３３は、キャビン１の底面から突出することなく、有害な障害物とならない。
【００４５】
このように、本発明のスピードスプレーヤのキャビン１により、換気、消臭、騒音の問題が解決され、快適な作業環境が確保される。
【００４６】
【発明の効果】
以上説明したように本発明によれば、上記農薬散布車のキャビン（１）は、車室のリヤパネル（３）のルーバー窓（５）に保持枠（１５）によってフィルタ部材（１４）が取り付けられたことから、農薬ミストの侵入が阻止され、外気によって車室内の換気が可能となり、特に、作業者の頭部に近接するようにリヤパネル（３）上を選択配置しうる大きな自由度により、効率の良い換気が可能となる。
【００４７】
また、農薬散布車のキャビン（１）は、空調用室内ユニット（２１）の吸気口（２７）にフィルタ部材（２８）を備えて構成したので、室内循環専用の送風機を要することなく、コンパクトかつ簡易な構成により、車室内空気を効率的に清浄処理することができる上に、交換メンテナンスの容易性により、農薬散布下における清浄な車室環境の確保が容易となる。
【図面の簡単な説明】
【図１】本発明のスピードスプレーヤのキャビンの換気装置をその背面から示す斜視図
【図２】図１の換気装置の内部構成を示す縦断面図
【図３】本発明の空調用室内ユニットを備えたスピードスプレーヤのキャビンを一部破断して示す斜視図
【図４】図３の空調用室内ユニットの要部を示す分解斜視図
【図５】図３の空調用室内ユニットの要部を示す部分断面平面図
【図６】図３の空調用室内ユニットを備えたキャビン内における空気循環を示す説明図
【図７】本発明の警音器の取り付け構造を示す斜視図
【図８】図７の警音器取り付け構造を適用したスピードスプレーヤの全体側面図
【図９】従来の空調用室内ユニットの平面図
【符号の説明】
１  キャビン
１ａ  運転席
１ｂ  天井
３  リヤパネル
４  換気装置
５  ルーバー窓
５ａ  ルーバー
１４  フィルタ部材
１５  保持枠
１６  仕切り板
１６ａ  開口
１７  掃き出し部
２１  空調用室内ユニット
２２  熱交換部
２２ａ  吐出部
２３  送風機
２４  案内路
２５  吹出し口
２７  吸気口
２８  フィルタ部材
２９  保持枠
３１  傾斜床
３２  凹部
３３  警音器
Ａ  放射主軸線
【図１】
0003690734.tif 000002
【図２】
0003690734.tif 000003
【図３】
0003690734.tif 000004
【図４】
0003690734.tif 000005
【図５】
0003690734.tif 000006
【図６】
0003690734.tif 000007
【図７】
0003690734.tif 000008
【図８】
0003690734.tif 000009
【図９】
0003690734.tif 000010